(57)【特許請求の範囲】
【請求項１】
電気錠の施解錠及び扉の開閉についての状態モニタを常時行いつつ、入力器によるデータ入力の有無を判別し、前記入力器によるデータ入力の有無に応じて前記電気錠を解錠する指令又は施錠する指令を出力する制御回路と、該制御回路から入力される指令に応じて前記電気錠を解錠又は施錠するための制御信号を出力する出力回路とを有する電気錠制御器と、前記制御信号による電力の供給を受けて施解錠を行うアクチュエーター及び接点の開閉により施解錠の状態に応じた施解錠モニタ信号を発生する施解錠モニタスイッチを有する電気錠とを備えた電気錠システムの通電構造において、
扉枠に取り付けられる扉枠側ユニットと前記扉に取り付けられる扉側ユニットとに分離され、
前記扉枠側ユニットは、
前記電気錠制御器の前記出力回路に結線された発振回路と、該発振回路に接続された１次コイルとからなり、前記制御回路の指令により前記出力回路から送られてくる制御信号を前記発振回路が交流に変換して前記１次コイルから発振出力する制御信号送信手段と、
前記電気錠制御器の前記制御回路に結線され、前記扉側ユニットから送信される前記施解錠モニタ信号を検知する施解錠検知スイッチからなる施解錠モニタ信号検知手段とを具備し、
前記扉側ユニットは、
前記制御信号送信手段の前記１次コイルとともに第１結合手段を構成するように前記１次コイルと近接して対向配置された２次コイルと、該２次コイルの一端にアノードが接続されたダイオード及び前記２次コイルの他端と前記ダイオードのカソードとの間に接続されたコンデンサによる変換回路とからなり、前記１次コイルから送信される前記制御信号を電磁結合により前記２次コイルで受信し、この受信した制御信号を前記変換回路で直流化して前記アクチュエータ及び前記施解錠モニタスイッチに供給する制御信号受信手段と、
前記施解錠検知スイッチとともに第２結合手段を構成するように前記ダイオードのカソードと前記２次コイルの他端との間に接続された線路に前記施解錠モニタスイッチを介して結線された電磁石からなり、前記施解錠モニタスイッチが閉状態のときに前記２次コイルとの間にループ回路を形成して前記１次コイルから前記２次コイルに誘導された制御信号により前記電磁石が磁化され、該電磁石と前記施解錠検知スイッチとの電磁結合により前記施解錠モニタ信号を送信する施解錠モニタ信号送信手段とを具備し、
前記扉枠側ユニットと前記扉側ユニットとの間は、前記１次コイルと前記２次コイルで構成される前記第１結合手段の電磁結合により非接触接続されるとともに、前記電磁石と前記施解錠検知スイッチで構成される前記第２結合手段の電磁結合により非接触接続されることを特徴とする電気錠システムの通電構造。
【請求項２】
前記施解錠モニタ信号送信手段がフォトダイオードで構成され、前記施解錠モニタ検知手段がフォトトランジスタで構成されており、
前記フォトダイオードと前記フォトトランジスタとの間の光結合により前記施解錠モニタ信号の送受を行うことを特徴とする請求項１記載の電気錠システムの通電構造。
【発明の詳細な説明】
【０００１】
【発明の属する技術分野】
本発明は、扉に設けられた電気錠と、扉外に設けられて電気錠の施解錠を制御する電気錠制御器との間を通電するための電気錠システムの通電構造に関するものである。
【０００２】
【従来の技術】
一般的な電気錠システムは、扉側に取り付けられた電気錠と、入力操作により暗証番号を入力するための扉内又は扉外に設置されたスイッチ，テンキー等の入力器と、入力器から入力される暗証番号と予め設定された暗証番号と照合して一致したときに制御信号を出力して電気錠を施錠又は解錠制御する扉外に設けられた電気錠制御器から概略構成されている。
【０００３】
ところで、上記構成による電気錠システムにおいて、扉に取り付けられた電気錠を電気錠制御器から出力される制御信号により動作させるには、電気錠と電気錠制御器との間を電気的に接続する必要がある。
【０００４】
そこで、従来、電気錠と電気錠制御器との間の電気的な接続には、周知の蝶番型や蛇腹型の通電金具が用いられていた。この種の通電金具は、防犯上、電線が外部にむき出しにならないように電線がカバーされた状態で扉と扉枠との間に設けられている。
【０００５】
更に説明すると、蝶番型の通電金具は、軸心と一対の翼部で略形成されており、軸心を中心に回動する。翼部の一方は扉枠に固定され、他方は扉に固定される。そして、電線は各翼部及び軸心の内部を通り、電気錠制御器と電気錠との間を電気的に結線しており、外部に表出しないようになっている。
【０００６】
また、蛇腹型通電金具は、金具本体が扉と扉枠とに分離されて組み込まれ、分離された扉側の金具本体と扉枠側の金具本体の内部を通る電線により電気錠制御器と電気錠との間が電気的に結線されている。その際、電線は、扉が開放している状態で表出し、閉鎖している状態では表出しないようになっている。
【０００７】
【発明が解決しようとする課題】
しかしながら、上述した従来の通電金具では、蝶番型，蛇腹型のいずれにしても、扉と扉枠の間を電線が通っているため、長期間扉の開閉を行うと金具本体との接触により電線が磨耗したり、扉の開閉に伴う電線自身の捩じれ等の症状により断線するおそれがある。
【０００８】
また、上述した蝶番型の通電金具は、扉枠に対して開閉可能に扉を支持するための蝶番とは別に、扉と扉枠との間に取り付けられる構成なので、外観寸法や色などが様々ある蝶番との意匠合わせができておらず、美観を大きく損ねていた。これに対し、蛇腹型の通電金具は、閉扉時には問題はないが、開扉時には電線を覆う蛇腹部分がむき出しになるため、蛇腹型の通電金具と同様に美観を損ねるという問題があった。
【０００９】
そこで本発明は、上記問題点を解消するために、扉と扉枠の間において電磁結合を用いることにより、無配線で通電可能にする電気錠システムの通電構造を提供することを目的としている。
【００１０】
【課題を解決するための手段】
次に、上記の課題を解決するための手段を、実施の形態に対応する図１乃至図３を参照して説明する。
【００１１】
請求項１の発明は、電気錠２の施解錠及び扉の開閉についての状態モニタを常時行いつつ、入力器３によるデータ入力の有無を判別し、前記入力器３によるデータ入力の有無に応じて前記電気錠２を解錠する指令又は施錠する指令を出力する制御回路９と、該制御回路９から入力される指令に応じて前記電気錠２を解錠又は施錠するための制御信号を出力する出力回路１０とを有する電気錠制御器５と、前記制御信号による電力の供給を受けて施解錠を行うアクチュエーター７及び接点の開閉により施解錠の状態に応じた施解錠モニタ信号を発生する施解錠モニタスイッチ８を有する電気錠２とを備えた電気錠システム１の通電構造において、
扉枠に取り付けられる扉枠側ユニット６ａと前記扉に取り付けられる扉側ユニット６ｂとに分離され、
前記扉枠側ユニット６ａは、
前記電気錠制御器５の前記出力回路１０に結線された発振回路１５ａと、該発振回路１５ａに接続された１次コイル１５ｂとからなり、前記制御回路９の指令により前記出力回路１０から送られてくる前記制御信号を前記発振回路１５ａが交流に変換して前記１次コイル１５ｂから発振出力する制御信号送信手段１５と、
前記電気錠制御器５の前記制御回路９に結線され、前記扉側ユニット６ｂから送信される前記施解錠モニタ信号を検知する施解錠検知スイッチからなる施解錠モニタ信号検知手段１６とを具備し、
前記扉側ユニット６ｂは、
前記制御信号送信手段１５の前記１次コイル１５ｂとともに第１結合手段１９を構成するように前記１次コイル１５ｂと近接して対向配置された２次コイル１２ａと、該２次コイル１２ａの一端にアノードが接続されたダイオードＤ及び前記２次コイル１２ａの他端と前記ダイオードＤのカソードとの間に接続されたコンデンサＣによる変換回路１２ｂとからなり、前記１次コイル１５ｂから送信される前記制御信号を電磁結合により前記２次コイル１２ａで受信し、この受信した制御信号を前記変換回路１２ｂで直流化して前記アクチュエータ７及び前記施解錠モニタスイッチ８に供給する制御信号受信手段１２と、
前記施解錠検知スイッチとともに第２結合手段２１を構成するように前記ダイオードＤのカソードと前記２次コイル１２ａの他端との間に接続された線路２０に前記施解錠モニタスイッチ８を介して結線された電磁石からなり、前記施解錠モニタスイッチ８が閉状態のときに前記２次コイル１２ａとの間にループ回路を形成して前記１次コイル１５ｂから前記２次コイル１２ａに誘導された制御信号により前記電磁石が磁化され、該電磁石と前記施解錠検知スイッチとの電磁結合により前記施解錠モニタ信号を送信する施解錠モニタ信号送信手段１３とを具備し、
前記扉枠側ユニット６ａと前記扉側ユニット６ｂとの間は、前記１次コイル１５ｂと前記２次コイル１２ａで構成される前記第１結合手段１９の電磁結合により非接触接続されるとともに、前記電磁石と前記施解錠検知スイッチで構成される前記第２結合手段２１の電磁結合により非接触接続されることを特徴とする。
また、請求項２の発明は、請求項１の電気錠システム１の通電構造において、
前記施解錠モニタ信号送信手段１３がフォトダイオードで構成され、前記施解錠モニタ検知手段１６がフォトトランジスタで構成されており、
前記フォトダイオードと前記フォトトランジスタとの間の光結合により前記施解錠モニタ信号の送受を行うことを特徴とする。
【００１２】
本発明に係る電気錠システムの通電構造では、前記制御信号送信手段１５に施錠又は及び解錠の制御信号が供給されると、前記制御信号送信手段１５の１次コイル１５ｂと前記制御信号受信手段１２の２次コイル１２ａとからなる第１結合手段１９の電磁結合により非接触接続されることとなる。この接続により送信された制御信号の電力は電気錠２のアクチュエーター７に供給されるとともに、施解錠モニタ信号発生手段８を介して施解錠モニタ信号送信手段１３の電磁石にも供給されて電磁石が磁化する。これにより、前記施解錠モニタ信号送信手段１３の電磁石と前記施解錠モニタ信号検知手段１６の施解錠検知スイッチとからなる第２結合手段２１の電磁結合により非接触接続されることとなり、施解錠モニタ信号が前記電気錠制御器５に送信される。
【００１３】
なお、前記制御信号送信手段１５は、前記電気錠制御器５から出力される前記制御信号の供給を受けて該制御信号を交流に変換する発振回路１５ａと、交流に変換された前記制御信号を送信する１次コイル１５ｂを具備するとともに、前記制御信号受信手段１２は、前記１次コイル１５ｂから送信される前記制御信号を受信すべく前記１次コイル１５ｂに近接して対向配置される２次コイル１２ａと、前記制御信号を直流に変換して前記電気錠２に送信する変換回路１２ｂを具備し、前記第１結合手段１９は、前記１次コイル１５ｂと前記２次コイル１２ａにより電磁結合する第１電磁結合手段である。
【００１４】
これにより、１次コイル１５ｂに施錠又は及び解錠の制御信号が供給されると、１次コイル１５ｂと２次コイル１２ａの電磁結合により非接触接続される。
【００１５】
また、前記施解錠モニタ信号送信手段１３は、前記施解錠モニタ信号発生手段８から前記施解錠モニタ信号の供給を受ける電磁石からなり、前記施解錠モニタ信号検知手段１６は、前記施解錠モニタ信号を検知する施解錠検知スイッチからなり、前記第２結合手段２１は、前記電磁石１３と前記施解錠検知スイッチ１６により電磁結合する第２電磁結合手段である。
【００１６】
更に、前記施解錠モニタ信号送信手段１３は、前記施解錠モニタ信号発生手段８から前記施解錠モニタ信号の供給を受けるフォトダイオードＰＤからなり、前記施解錠モニタ信号検知手段１６は、前記施解錠モニタ信号を検知するフォトトランジスタＰＴからなり、前記第２結合手段２１は、前記フォトダイオードＰＤと前記フォトトランジスタＰＴにより光結合する光結合手段である構成としてもよい。
【００１７】
これにより、前記電磁石１３に施解錠モニタ信号が送信されると、前記電磁石１３と施解錠検知スイッチ１６の電磁結合により非接触接続され、前記フォトダイオードＰＤに施解錠モニタ信号が供給されると、前記フォトダイオードＰＤとフォトトランジスタＰＴの光結合により非接触接続される。
【００１８】
【発明の実施の形態】
図１は本発明による電気錠システム１の通電構造６の一実施の形態を示す概略ブロック構成図である。以下、本発明による通電構造６を通電時施錠型の電気錠システム１に適用した場合を例にとって説明する。
【００１９】
電気錠システム１は、電気錠２と、入力器３と表示器４が接続された電気錠制御器５とを備え、これら標準装備される既製の電気錠２と電気錠制御器５との間を非接触型の通電構造６を介して通電することにより、電気錠制御器５による電気錠２の制御が行われる。
【００２０】
電気錠２は、扉に設けられ、アクチュエーター７，施解錠モニタ信号発生手段としての施解錠モニタスイッチ８を備えて構成される。アクチュエーター７は、例えばソレノイド，モータなどで構成され、電気錠制御器５から通電構造６を介して受信される制御信号により、扉枠側のストライクに対するデッドボルトの移動を阻止又は解除している。
【００２１】
施解錠モニタスイッチ８は、後述する電磁石１３に線路２０を介して接続され、電気錠２の施解錠の状態により接点が切り換わるもので、電気錠２が施錠状態のときに接点が閉じ、電気錠２が解錠状態のときに接点が開く。
【００２２】
なお、施解錠モニタスイッチ８は、特に図示はしないが、シリンダ錠に鍵を差し込み回転操作して施解錠を行ったとき、扉の内側に設けられたサムターンを操作して施解錠を行ったときにも、その施解錠状態に応じて接点が開閉される。
【００２３】
入力器３は、扉の外、例えば扉枠、室内外、扉近傍の壁面などに設けられ、電気錠制御器５に電気的に結線されている。入力器３は、電気錠２を解錠する際に直接操作者によって操作されるもので、例えばスイッチ、テンキー、カードリーダなどで構成される。
【００２４】
具体的には、入力器３がスイッチやテンキーで構成される場合、スイッチやテンキーを操作することにより、電気錠２を解錠するためのデータとして例えば暗証番号が入力される。また、入力器３がカードリーダで構成される場合には、電気錠２の解錠を許可するためのデータ、例えば暗証番号が予め記憶されたカードが挿入されると、このカードのデータをカードリーダで読み取る。この入力器３によるデータは、電気錠２を解錠するための情報として電気錠制御器５に入力される。
【００２５】
電気錠制御器５は、扉の外、例えば扉枠、室内外、扉の近傍の壁面などに設けられ、制御回路９、出力回路１０、表示出力回路１１を備えて構成される。
【００２６】
制御回路９は、通電構造６を介して送られてくるモニタ信号の有無により電気錠２の施解錠及び扉の開閉についての状態モニタを常時行いつつ、入力器３によるデータ入力の有無を判断している。
【００２７】
そして、制御回路９では、電気錠２を解錠するための入力器３によるデータ入力が有ると判断したときに、電気錠２を解錠する指令（解錠指令）を出力回路１０に出力している。これに対し、電気錠２を解錠するための入力器３によるデータ入力が無いと判断したときには、電気錠２の施錠を保持する指令（施錠指令）を出力回路１０に出力している。
【００２８】
また、制御回路９は、入力器３によるデータ及びモニタ信号に基いて所望の表示を行うための指令を表示出力回路１１に出力している。更に、制御回路９は、内部にタイマー回路９ａを備えている。タイマー回路９ａは、通電構造６を介して送られてくるモニタ信号により時間管理されるもので、施解錠モニタスイッチ８の接点が開いて扉枠側に「解錠」を示すときにセットされる。そして、開扉後に「閉扉」を示すモニタ信号が入力されるとリセットされる。
【００２９】
出力回路１０は、制御回路９から施錠指令が入力されたときに、電気錠２を施錠するための制御信号（施錠制御信号）を通電構造６に出力している。これに対し、制御回路９から解錠指令が入力されたときには、通電構造６に対する施錠制御信号の出力を断っている。
【００３０】
表示出力回路１１は、制御回路９からの指令により、入力器３によるデータ及び施解錠モニタ信号に基く所望の表示を行うための表示制御信号を表示器４に出力している。
【００３１】
表示器４は、電気錠制御器５の表示出力回路１１から入力される表示制御信号に基いて入力器３による例えば暗証番号の照合表示や電気錠２及び扉の各種状態表示（施錠、解錠、閉扉など）を行っている。表示器４は、暗証番号の照合結果、電気錠２及び扉の動作状態を点灯により表示するランプ，暗証番号の照合結果、電気錠２及び扉の動作状態を文字情報として表示する液晶などの表示管で構成される。
【００３２】
例えば表示器４をランプで構成した場合には、照合結果表示用ランプ，施錠表示用ランプ，解錠表示用ランプ，閉扉表示用ランプが設けられる。そして、表示出力回路１１から入力される表示制御信号が「照合一致」を示すときには照合結果表示用ランプが、「施錠」を示すときには施錠表示用ランプが、「解錠」を示すときには解錠表示用ランプがそれぞれ点灯する。また、表示器４が液晶などの表示管で構成される場合には、表示制御信号が示す内容に応じて「照合一致」，「施錠状態」，「解錠状態」，「閉扉状態」のように、暗証番号の照合結果、電気錠２及び扉の動作状態を示す情報表示がなされる。
【００３３】
通電構造６は、電気錠２と電気錠制御器５との間に配設され、扉枠に設けられる扉枠側ユニット６ａと、扉に設けられる扉側ユニット６ｂとの２体に分離して構成される。
【００３４】
扉枠側ユニット６ａには、制御信号送信手段１５と、制御回路９に接続される施解錠モニタ信号検知手段としての施解錠検知スイッチ１６とが配設されている。
【００３５】
制御信号送信手段１５は、発振回路１５ａと１次コイル１５ｂを備えて構成されている。発振回路１５ａは、電気錠制御器５の出力回路１０に結線されており、制御回路９の施錠指令により出力回路１０から送られてくる施錠制御信号（直流電流）を交流に変換して１次コイル１５ｂから発振出力している。これに対し、出力回路１０が制御回路９から解錠指令を受けたときは、出力回路１０からの施錠制御信号が断たれるため、発振回路１５ａ及び１次コイル１５ｂは電力供給を受けない。
【００３６】
施解錠検知スイッチ１６は、後述する電磁石１３と近接して対向する位置に配置されており、制御回路９に結線されている。
【００３７】
また、扉枠側ユニット６ａにおけるストライクには、扉の開閉状態を検出する扉モニタスイッチ１７が設けられており、磁石１４とともに磁気作用手段１８を構成している。この扉モニタスイッチ１７は、閉扉したときに、扉の錠フロントに取り付けられた磁石１４の接近による磁気作用により接点が閉じて「閉扉」を示すモニタ信号を制御回路９に出力するリードスイッチなどで構成される。
【００３８】
扉側ユニット６ｂには、制御信号受信手段１２と施解錠モニタ信号送信手段としての電磁石１３が配設されている。また、扉側ユニット６ｂにおける扉の錠フロントには磁石１４が取り付けられている。
【００３９】
制御信号受信手段１２は、２次コイル１２ａと変換回路１２ｂを備えて構成されている。２次コイル１２ａは、１次コイル１５ｂと近接して対向配置され、１次コイル１５ｂとともに第１結合手段としての第１電磁結合手段１９を構成している。変換回路１２ｂは、２次コイル１２ａの一端にアノードが接続されたダイオードＤと、２次コイル１２ａの他端とダイオードＤのカソードとの間に接続されたコンデンサＣを備えて構成される。なお、変換回路１２ｂは、扉側ユニット内に限らず、扉内に配設してもよい。
【００４０】
制御信号受信手段１２では、１次コイル１５ｂから送信される制御信号（交番電流）を電磁結合により２次コイル１２ａで受信し、この受信した制御信号を変換回路１２ｂに供給して直流化している。そして、直流化された制御信号は、電気錠２のアクチュエーター７及び施解錠モニタスイッチ８に供給される。
【００４１】
電磁石１３のコイルの両端は、ダイオードＤのカソードと２次コイル１２ａの他端との間に接続された線路２０に対し、施解錠モニタスイッチ８を介して結線されている。施解錠検知スイッチ１６は、電磁石１３と近接して対向する位置に配置されており、電磁石１３とともに第２結合手段としての第２電磁結合手段２１を構成している。
【００４２】
そして、施解錠モニタスイッチ８が閉状態のときには、２次コイル１２ａとの間にループ回路が形成され、１次コイル１５ｂから２次コイル１２ａに誘導された制御信号により電磁石１３が磁化される。これにより、電磁石１３と施解錠検知スイッチ１６が電磁結合して施解錠検知スイッチ１６の接点が閉じ、このときの接点信号が「施錠」を示すモニタ信号として制御回路９に入力される。これに対し、施解錠モニタスイッチ８が開状態のときには、電磁石１３に電力供給されず、電磁石１３と施解錠検知スイッチ１６は電磁結合しないので、施解錠検知スイッチ１６の接点が開いてモニタ信号が現れず、扉枠側に「解錠」を示している。
【００４３】
次に、上記のように構成される通電構造６を採用した電気錠システム１の作用を図３のフローチャート図に基づいて説明する。
【００４４】
電気錠２が施錠状態で閉扉のときに（ＳＴ１）、制御回路９に対して入力器３から電気錠２を解錠するための情報入力がなければ、制御回路９は出力回路１０に対して施錠指令を出力する。出力回路１０では、制御回路９からの施錠指令により、発振回路１５ａに対して施錠制御信号を出力する（ＳＴ２）。
【００４５】
これにより、発振回路１５ａは、出力回路１０からの施錠制御信号を交流信号に変換して１次コイル１５ｂより発振出力する。１次コイル１５ｂからの施錠制御信号は、第１電磁結合手段１９の電磁結合により、２次コイル１２ａに誘導される。
【００４６】
２次コイル１２ａに誘導された施錠制御信号は、変換回路１２ｂに供給されて直流化される。この直流化された施錠制御信号は、アクチュエーター７及び施解錠モニタスイッチ８に送られる。アクチュエーター７は、施錠制御信号の供給を受けて作動し、電気錠２の施錠を保持する。
【００４７】
施解錠モニタスイッチ８は、電気錠２が施錠状態なので、接点が閉じており（ＳＴ２）、この施解錠モニタスイッチ８と２次コイル１２ａとの間にループ回路を形成する。その結果、施錠制御信号により電磁石１３が直接磁化される。
【００４８】
なお、シリンダ錠に鍵を差し込み回転操作して施錠を行ったとき、扉の内側に設けられたサムターンを操作して施錠を行って施錠状態となった場合も同様である。
【００４９】
電磁石１３が磁化されると、第２電磁結合手段２１をなす電磁石１３と施解錠検知スイッチ１６の間で電磁結合が生じて施解錠検知スイッチ１６の接点が閉じ、そのときの接点信号が施錠モニタ信号として制御回路９に入力される。
【００５０】
また、電気錠２が施錠状態で閉扉なので、磁石１４の磁気作用によって扉モニタスイッチ１７の接点が閉じ（ＳＴ２）、閉扉モニタ信号が制御回路９に入力される。
【００５１】
制御回路９は、施錠モニタ信号と閉扉モニタ信号により、電気錠２が施錠で閉扉状態にあると認識し、表示を行うための指令を表示出力回路１１に出力する。
【００５２】
表示出力回路１１は、制御回路９からの指令により、表示制御信号を表示器４に出力する。そして、表示器４は、表示出力回路１１からの表示制御信号により、「施錠」及び「閉扉」を示す表示を行う。
【００５３】
次に、施錠状態にある電気錠２を解錠するべく、入力器３より電気錠２を解錠するための情報が入力されると（ＳＴ３）、制御回路９は出力回路１０に対して解錠指令を出力する。出力回路１０は、制御回路９から解錠指令が入力されると、発振回路１５ａに対する施錠制御信号が断たれ（ＳＴ４）、発振回路１５ａに電力供給がされない。このため、第１電磁結合手段１９は電磁結合せず、扉側のアクチュエーター７に電力供給がされないこととなり、電気錠２が解錠する（ＳＴ５）。そして、施解錠モニタスイッチ８の接点が開く（ＳＴ６）。
【００５４】
また、施解錠モニタスイッチ８にも電力供給されないので、電磁石１３は磁化せず、第２電磁結合手段２１が電磁結合しない。これにより、施解錠検知スイッチ１６の接点が開き、「解錠」を扉枠側に示す。
【００５５】
なお、シリンダ錠に鍵を差し込み回転操作して施錠を行ったとき、又は扉の内側に設けられたサムターンを操作して解錠を行ったときは、入力器２からは解錠入力がされてない。このため、第１電磁結合手段１９が電磁結合して施解錠モニタスイッチ８に電力供給されるが、電気錠２の解錠状態を検知して施解錠モニタスイッチ８の接点が開いているため、第２電磁結合手段２１は電磁結合せず、施解錠検知スイッチ１６の接点が開き、「解錠」を扉枠側に示す。
【００５６】
そして、制御回路９への施錠モニタ信号の供給が断たれると、制御回路９内のタイマー回路９ａがセットされる（ＳＴ７）。次いで、制御回路９内で扉モニタスイッチ１７の開閉状態のチェックがなされる（ＳＴ８）。
【００５７】
扉モニタスイッチ１７の接点が閉じていて閉扉状態と判断され（ＳＴ９−Ｎｏ）、かつ、タイマー回路９ａがタイムアップ（例えば１０秒）していない場合は（ＳＴ１０−Ｎｏ）、再度制御回路９内で扉モニタスイッチ１７の開閉状態がチェックがされる（ＳＴ８）。
【００５８】
タイマー回路９ａがタイムアップすると（ＳＴ１０−Ｙｅｓ）、制御回路９から出力回路１０に対して施錠指令が出力され、出力回路１０から施錠制御信号が発振回路１５ａに出力される（ＳＴ１１）。
【００５９】
そして、発振回路１５ａは、出力回路１０からの施錠制御信号を交流信号に変換して１次コイル１５ｂより発振出力する。そして、１次コイル１５ｂからの施錠制御信号は、第１電磁結合手段１９の電磁結合により、２次コイル１２ａに誘導され、アクチュエーター７に通電して電気錠２が施錠される。
【００６０】
これに対し、扉モニタスイッチ１７の接点が開いていて開扉状態と判断されると（ＳＴ９−Ｙｅｓ）、閉扉状態を検知するまで解錠状態を保持する。そして、開扉後に閉扉状態と判断されると（ＳＴ１２−Ｙｅｓ）、タイマー回路９ａがリセットされ（ＳＴ１３）、制御回路９から出力回路１０に対して施錠指令が出力される。そして、出力回路１０から施錠制御信号が発振回路１５ａに出力され（ＳＴ１１）、アクチュエーター７に通電して電気錠２が施錠される。
【００６１】
従って、上述した実施の形態では、扉枠側ユニット６ａと扉側ユニット６ｂに分離された通電構造６を採用し、扉枠側ユニット６ａと扉側ユニット６ｂとの間の電磁結合により、電気錠２と電気錠制御器５との間を通電させているので、従来のような断線による電線の劣化を招くことなく、扉と扉枠との間に配線を通すことなく無配線で、かつ、扉枠側の電力のみで電気錠２と電気錠制御器５との間を通電させることができる。
【００６２】
その際、電気錠２及び電気錠制御器５は、何れも標準装備した既製のものをそのまま使用することができる。また、通電構造６には複雑なデータの処理回路（例えばＣＰＵによる処理）が不要なので、極めて構造が簡単であり、既存の電気錠システムとの組合せも容易に行うことができる。更に、扉と扉枠との間には電線が通らないので、従来のように扉としての美観を損なうこともない。
【００６３】
ところで、上述した実施の形態では、施解錠モニタ送信手段が電磁石１３で構成され、施解錠モニタ信号検知手段が施解錠検知スイッチ１６で構成される場合について述べたが、図２のように、施解錠モニタ送信手段１３をフォトダイオードＰＤで構成し、施解錠モニタ信号検知手段１６をフォトトランジスタＰＴで構成し、フォトダイオードＰＤとフォトトランジスタＰＴにより光結合手段を構成すれば、フォトダイオードＰＤとフォトトランジスタＰＴとの間の光結合により施解錠モニタ信号の送受を行うことができる。
【００６４】
なお、上述した実施の形態による通電構造６は、施錠制御信号が出力されたときのみ通電して施錠する通電時施錠型の電気錠システム１に採用した場合を例にとって説明したが、解錠制御信号が出力されたときのみ通電して解錠する通電時解錠型の電気錠システムに採用することもできる。
【００６５】
また、施錠制御信号が出力されたときのみならず、解錠制御信号が出力されたときも通電して施解錠を行う通電時施解錠型の電気錠システムに採用することもできる。この場合、図１の構成において、施錠モニタのための施解錠モニタスイッチ８及び電磁石１３とは別に、解錠モニタのため、解錠時に接点が閉じる施解錠モニタスイッチ及び電磁石を線路２０に接続して設けるとともに、電磁石に近接して扉枠側ユニット６ｂに施解錠検知スイッチを対向配置する。
【００６６】
【発明の効果】
以上説明したように本発明の電気錠システムの通電構造によれば、扉側ユニットと扉枠側ユニットに分離された通電構造を採用し、扉側ユニットと扉枠側ユニットとの間の第１又は及び第２結合手段により、電気錠と電気錠制御器との間を非接触接続させているので、従来のような劣化による電線の断線を招くことなく、扉と扉枠との間に配線を通すことなく無配線で、かつ、扉枠側の電力のみで電気錠と電気錠制御器との間を通電させることができる。
【００６７】
その際、電気錠及び電気錠制御器は、何れも標準装備した既製のものをそのまま使用することができる。また、通電構造には複雑なデータの処理回路（例えばＣＰＵによる処理）が不要なので、極めて構造が簡単であり、既存の電気錠システムとの組合せも容易に行うことができる。更に、扉と扉枠との間には電線が通らないので、従来のように扉としての美観を損なうこともない。
【図面の簡単な説明】
【図１】本発明による電気錠システムの通電構造の一実施の形態を示す概略ブロック図である。
【図２】本発明による電気錠システムの通電構造の他の実施の形態を示す図である。
【図３】本発明による通電構造を採用した電気錠システムの動作を説明するためのフローチャート図である。
【符号の説明】
１…電気錠システム、２…電気錠、５…電気錠制御器、６…通電構造、６ａ…扉枠側ユニット、６ｂ…扉側ユニット、７…アクチュエーター、８…施解錠モニタ信号発生手段（施解錠モニタスイッチ）、１２…制御信号受信手段、１２ａ…２次コイル、１２ｂ…変換回路、１３…施解錠モニタ信号送信手段（電磁石）、１４…磁石、１５…制御信号送信手段、１５ａ…発振回路、１５ｂ…１次コイル、１６…施解錠モニタ信号検知手段（施解錠検知スイッチ）、１７…扉モニタスイッチ、１８…磁気作用手段、１９…第１結合手段、２１…第２結合手段。
【図１】
0003927272.tif 000002
【図２】
0003927272.tif 000003
【図３】
0003927272.tif 000004